【事件の表示】
　平成　１年特許願第　３５４５０号「液体噴射記録ヘッド」拒絶査定に対する審判事件［平成　２年　１月　５日出願公開、特開平　２−１３１４、請求項の数２］について、次のとおり審決する。
【結　論】
　本件審判の請求は、成り立たない。
【理　由】
１．手続きの経緯・本件発明
　本願は、平成1年2月19日（優先権主張昭和63年2月19日）の出願であって、その請求項1及び請求項2に係る発明（以下、それぞれ「本件発明1」、「本件発明2」という。）は、平成7年12月5日付け、平成9年8月20日付け及び平成12年1月6日付けの手続き補正により補正された出願当初の明細書及び図面の記載からみて、その特許請求の範囲の請求項1及び請求項2に記載されたとおりの
「(1)、導入される記録液体を収容するとともに、該記録液体に熱によって気泡を発生させ、該気泡の体積増加にともなう作用力を発生させる熱エネルギー作用部を付設した流路と、該流路に連絡して前記記録液体を前記作用力によって液滴として吐出させるためのオリフィスと、前記流路に連絡して、該流路に前記記録液体を導入するための液室と、該液室に前記記録液体を導入する手段よりなり、前記液滴は、前記熱エネルギー作用部面とおおよそ平行方向に飛翔する液体噴射記録ヘッドであって、前記吐出オリフィスの配列密度が24本/mm未満である液体噴射記録ヘッドにおいて、一定時間、一定温度で前記記録液体に接触した場合、Ｓｉ元素またＴａ元素の前記記録液体への溶出量が15ppm以下であるような部材で前記液体噴射記録ヘッドの前記記録液体に接する領域を構成したことを特徴とする液体噴射記録ヘッド。ここで、一定時間は1000時間、一定温度は50℃とする。
(2)、導入される記録液体を収容するとともに、該記録液体に熱によって気泡を発生させ、該気泡の体積増加にともなう作用力を発生させる熱エネルギー作用部を付設した流路と、該流路に連絡して前記記録液体を前記作用力によって液滴として吐出させるためのオリフィスと、前記流路に連絡して、該流路に前記記録液体を導入するための液室と、該液室に前記記録液体を導入する手段よりなり、前記吐出オリフィスの配列密度が24本/mm以上である液体噴射記録ヘッドにおいて、一定時間、一定温度で前記記録液体に接触した場合、Ｓｉ元素またＴａ元素の前記記録液体への溶出量が12ppm以下であるような部材で前記液体噴射記録ヘッドの前記記録液体に接する領域を構成したことを特徴とする液体噴射記録ヘッド。ここで、一定時間は1000時間、一定温度は50℃とする。」
にあるものと認める。
　
２．特許法第３６条について（明細書の記載要件）
Ａ．特許請求の範囲の記載
　本件発明１及び２の特徴の根拠となっている発明の詳細な説明中の表1や表2の実験は、その試験液の作り方について詳細な説明がなされておらず、記録液体に含まれる不純物がＳｉ元素またはＴａ元素だけであるかどうか不明であるが、記録液体にＳｉ元素またはＴａ元素が溶出していて、それらが所定量以上溶出していると目づまり等の不具合が生じ、溶出量には限界値（15ppmや12ppm）があることを一応根拠づけていると考えられる。そして、液体噴射記録ヘッドの記録液体に接する領域を構成する部材を選定するに当たって、Ｓｉ元素またはＴａ元素の溶出量がその限界値を超えないような部材を選定することには一応の合理性はある。
　ところで本件発明１は、部材の選定条件として「一定時間（1000時間）、一定温度（50℃）で前記記録液体に接触した場合、Ｓｉ元素またＴａ元素の前記記録液体への溶出量が15ppm以下であるような部材」と規定している。
　そこでこの構成について検討すると、選定条件の中にどれだけの量の記録液体にどれくらいの表面積を有する部材を浸せきさせるかという溶出量に直接影響のある条件を規定していない。このことは、例えば同じ部材であっても部材表面積が異なれば異なった溶出量となるものであって、上記条件で一義的に部材を特定することはできないことになる。
　そして、明細書中には上記条件だけで特定した部材を実際に記録ヘッドの部材として使用したときに、記録液体へのＳｉ元素またはＴａ元素の溶出量が限界値以下となるものであることに関して一切記載がない。
　このように構成が特定されないような記載を含む特許請求の範囲の請求項1は、本件発明１の構成に欠くことができない事項のみが記載されているとすることはできない。
　特許請求の範囲の請求項２についても、「一定時間、一定温度で前記記録液体に接触した場合、Ｓｉ元素またＴａ元素の前記記録液体への溶出量が12ppm以下であるような部材」というだけでは構成を一義的に特定できないから、同じ理由で本件発明２の構成に欠くことができない事項のみが記載されているとすることはできない。
（まとめ）
　以上のことから、本件出願はその特許請求の範囲の記載が特許法第36条第4項に規定する要件を満たしていない。
　
Ｂ．発明の詳細な説明の記載
（１）本件発明１及び２の特徴点を根拠づけている表１及び表２の実験について、その試験液の作り方について詳細な説明、特にどのような部材を用いて試験液を作ったのかがなされておらず、記録液体にＳｉ元素またはＴａ元素以外の不純物が含まれているかどうか不明であり、目詰まりの原因が専らＳｉ元素またはＴａ元素の溶出量だけによるものかどうかが不明であり、このことからそもそも表１及び表２の実験が本件発明１及び２の特徴点を根拠づけるものであるかどうかも不明であって、明細書及び図面に当業者が本件発明１及び２を実施することができる程度に発明の構成が記載されているとはいえない。
（２）上の特許請求の範囲の記載要件でも述べたように、部材選定条件として「一定時間（1000時間）、一定温度（50℃）で前記記録液体に接触した場合、Ｓｉ元素またＴａ元素の前記記録液体への溶出量が15ppm以下あるいは12ppm以下であるような部材」だけでは部材が特定できず、明細書及び図面に当業者が本件発明１及び２を実施することができる程度に発明の構成が記載されているとはいえない。
（３）「一定時間、一定温度で記録液体に接触した場合、Ｓｉ元素またはＴａ元素の溶出量が15ppm以下となるような部材」は、もともとＳｉ元素またはＴａ元素を含まない部材を含めてきわめて広範囲にわたるものであり、明細書にはその条件で選択される部材としてどのようなものがあるのか全く記載されていないし、保護層として一般に用いられているＳｉＯ２，Ｓｉ３Ｎ４或いはＴａ等は本件発明１の条件を満たす材料なのか、あるいは一般に使用されている部材では問題があり特別の部材が必要なのか、さらには構造上の工夫が必要なのか等についても全く記載されておらず、明細書及び図面に当業者が本件発明１及び２を実施することができる程度に発明の構成が記載されているとはいえない。
　
（まとめ）
　したがって、本件発明１及び２に関して、発明の詳細な説明には当業者が実施できる程度に構成が記載されているとはいえず、本願は特許法第36条第3項に規定する要件を満たしていない。
　　
２．特許法第２９条について
（引用例記載の発明）
　特開昭59-96971号公報に記載された発明（以下「引用例記載の発明」という）は以下の通りである。
「導入される記録液体を収容するとともに、該記録液体に熱によって気泡を発生させ、該気泡の体積増加にともなう作用力を発生させる熱作用部7を付設した液吐出部6と、該液吐出部6に連絡して前記記録液体を前記作用力によって液滴として吐出させるためのオリフィス5と、前記液滴は、前記熱作用部面とおおよそ平行方向に飛翔する液体噴射記録ヘッドであって、熱作用部を構成する発熱抵抗体層の表面に保護層12としてＳｉＯ２やＴａ２Ｏ６  を積層したもの」
（対比）
Ａ．本件発明１
　本件発明１を引用例記載の発明と対比すると、引用例記載の発明の「熱作用部7」、「液吐出部6」、「保護層12」は、それぞれ本件発明１の「熱エネルギー作用部」、「流路」、「記録液体に接する領域」に相当し、引用例記載の発明の「保護層12としてＳｉＯ２やＴａ２Ｏ６  を積層したもの」と本件発明１の「一定時間一定温度で前記記録液体に接触した場合、Ｓｉ元素またＴａ元素の前記記録液体への溶出量が15ppm以下であるような部材」とは「記録液体に接触した場合にＳｉ元素やＴａ元素を溶出する可能性のある部材」である点で共通するから、以下のような一致点、相違点がある。
（一致点）
「導入される記録液体を収容するとともに、該記録液体に熱によって気泡を発生させ、該気泡の体積増加にともなう作用力を発生させる熱エネルギー作用部を付設した流路と、該流路に連絡して前記記録液体を前記作用力によって液滴として吐出させるためのオリフィスと、前記液滴は、前記熱エネルギー作用部面とおおよそ平行方向に飛翔する液体噴射記録ヘッドであって、記録液体に接触した場合にＳｉ元素やＴａ元素を溶出する可能性のある部材で材料記録液体に接する領域を構成した液体噴射記録ヘッド」
（相違点）
（１）本件発明１が「流路に連絡して、該流路に前記記録液体を導入するための液室と、該液室に前記記録液体を導入する手段」を有しているのに対して、引用例記載の発明はその構成について特に言及していない点、
（２）本件発明１が吐出オリフィスの配列密度が24本／mm未満の記録ヘッドであることを規定しているのに対して、引用例記載の発明は特に言及していない点
（３）記録液体に接触した場合にＳｉ元素やＴａ元素を溶出する可能性のある部材として、本件発明1は一定時間、一定温度で記録液体に接触した場合、Ｓｉ元素またＴａ元素の記録液体の溶出量が15ppm以下であるような部材と規定しているのに対して、引用例記載の発明は溶出量について言及していない点
　で一応相違している。
（相違点の検討）
　相違点１については、この種の記録ヘッドにおいて「流路に連絡して、該流路に前記記録液体を導入するための液室と、該液室に前記記録液体を導入する手段」を具備させることは周知であって、引用例記載の発明に周知技術を適用して本件発明１の相違点１にかかる構成とすることは当業者が容易に考えつくことができた構成の変更である。
　相違点２については、吐出オリフィスの配列密度が24本／mm未満の記録ヘッドは周知であり、引用例記載の発明もこの周知の配列密度を含むものとして理解できるから、この点は当業者が容易に考えつくことができた構成の変更である。
　相違点３については、先の明細書の記載要件の項において述べたように、本件発明１の「一定時間（1000時間）、一定温度（50℃）で前記記録液体に接触した場合、Ｓｉ元素またＴａ元素の前記記録液体への溶出量が15ppm以下であるような部材」はこれによっては構成が特定できないものであって、この点に格別の技術的意義があるとすることはできないし、また一般に記録液体に不純物が混入すると目づまりなどの不具合が生じ、不純物はできるだけ少ない方がよいことは技術上の常識であることから、不純物であるＳｉ元素またＴａ元素の前記記録液体への溶出量を15ppm以下とする程度のことは当業者が容易に考えつくことができた構成の変更である。
　
Ｂ．本件発明２
　本件発明２を引用例記載の発明と対比すると、以下のような一致点、相違点がある。
（一致点）
「導入される記録液体を収容するとともに、該記録液体に熱によって気泡を発生させ、該気泡の体積増加にともなう作用力を発生させる熱エネルギー作用部を付設した流路と、該流路に連絡して前記記録液体を前記作用力によって液滴として吐出させるためのオリフィスと、前記液滴は、前記熱エネルギー作用部面とおおよそ平行方向に飛翔する液体噴射記録ヘッドであって、記録液体に接触した場合にＳｉ元素やＴａ元素を溶出する可能性のある部材で材料記録液体に接する領域を構成した液体噴射記録ヘッド」
（相違点）
（１）本件発明１が「流路に連絡して、該流路に前記記録液体を導入するための液室と、該液室に前記記録液体を導入する手段」を有しているのに対して、引用例記載の発明はその構成について特に言及していない点、
（２）本件発明２が吐出オリフィスの配列密度が24本／mm以上の記録ヘッドであることを規定しているのに対して、引用例記載の発明は特に言及していない点
（３）記録液体に接触した場合にＳｉ元素やＴａ元素を溶出する可能性のある部材として、本件発明２は一定時間、一定温度で記録液体に接触した場合、Ｓｉ元素またＴａ元素の記録液体の溶出量が12ppm以下であるような部材と規定しているのに対して、引用例記載の発明は溶出量について言及していない点
　で一応相違している。
（相違点の検討）
　相違点１については、本件発明１と同じであるので検討を省略する。
　相違点２については、この種の記録ヘッドにおいて吐出オリフィスの配列密度を高密度化しようとすることは周知であり、配列密度を24本／mm以上とする程度のことは当業者が容易に考えつくことができた構成の変更である。
　相違点３については、先の明細書の記載要件の項において述べたように、本件発明２の「一定時間（1000時間）、一定温度（50℃）で前記記録液体に接触した場合、Ｓｉ元素またＴａ元素の前記記録液体への溶出量が12ppm以下であるような部材」はこれによっては構成が特定できないものであって、この点に格別の技術的意義があるとすることはできないし、また一般に記録液体に不純物が混入すると目づまりなどの不具合が生じ、不純物はできるだけ少ない方がよいことは技術上の常識であるし、記録密度が高まれば許容される不純物の量も少なくなることは技術常識であることから、吐出オリフィスの配列密度が24本／mm以上の記録ヘッドにおいて、不純物であるＳｉ元素またＴａ元素の前記記録液体への溶出量を12ppm以下とする程度のことは当業者が容易に考えつくことができた構成の変更である。
　
Ｃ．まとめ
　以上のことから、本件発明１及び本件発明２は、その出願前に国内において頒布された引用例記載の発明に基づいて、その出願前にその発明の属する技術の分野における通常の知識を有する者が、容易に発明をすることができたものと認められるから、特許法第29条第2項の規定により特許を受けることができない。
　
３．むすび
　本件発明１及び本件発明２は特許法第29条第2項の規定により特許を受けることができないし、本願は特許法第36条に規定する要件を満たしていないので、拒絶すべきものである。
　よって、結論のとおり審決する。